(57)【要約】      （修正有）【課題】草刈り機を左右に振る揺動刈り取り操作に伴って、回転する草刈り刃によって切断された草がそのまま放出されないように草寄せ具によって受止め、受止めた切断草を良好に寄せ集め、特に、従来では難しかった右方へ寄せ集めることを良好におこなえ、結果として左右のいずれの方向にも草寄せができて、草刈り作業効率を倍増することができるようにする。【解決手段】草刈り機Ａの先端の草刈り刃１の上方に取付けられて、回転する草刈り刃１により切断された切断草を受止めて、草刈り機Ａの左右の揺動に伴って草寄せする草刈り機Ａの草寄せ具Ｂである。草刈り機Ａの使用状態において円板状の草刈り刃１を平面視で左右に略二分する位置に配置される草寄せ具本体２を備える。草寄せ具本体２の前・後端部に左草受け片３と右草受け片４とが左右に略Ｖ字状に分岐する前・後草受け部５，６が形成されている。【選択図】図２
2007135442.tif 000002
【特許請求の範囲】
【請求項１】
草刈り機の先端の草刈り刃の上方に取付けられて、回転する草刈り刃により切断された切断草を受止めて、草刈り機の左右の揺動に伴って草寄せする草刈り機の草寄せ具であって、草刈り機の使用状態において円板状の草刈り刃を平面視で左右に略二分する位置に配置される草寄せ具本体を備え、草寄せ具本体の前・後端部に左草受け片と右草受け片とが左右に略Ｖ字状に分岐する前・後草受け部が形成されていることを特徴とする草刈り機の草寄せ具。
【請求項２】
左草受け片と右草受け片に異なる方向に突出する棒状又は粒状の小突起が形成されていることを特徴とする請求項１記載の草刈り機の草寄せ具。
【請求項３】
側方が開放された略Ｕ字状で草刈り機の筒状の主軸ケースの下端部に接続されている伝動ギアケース又は主軸ケースに側方より係合して取付けられる取付部が形成され、草寄せ具本体は草寄せ前半体と草寄せ後半体に分割され、草寄せ前半体が取付部の上部脚片又は上部脚片の近傍より前方に延出され、草寄せ後半体が取付部の下部脚片又は下部脚片の近傍より後方に延出されていることを特徴とする請求項１記載の草刈り機の草寄せ具。
【請求項４】
一体化された成形品製である請求項３記載の草刈り機の草寄せ具であって、草受け前半体の先端部と草受け後半体の根本部とが基材部にて接続され、取付部の上部脚片と下部脚片を連ねる円弧部と基材部とが補強リブにて接続され、草寄せ前半体の前草受け部、基材部、草寄せ後半体及び後草受け部が側面視において草刈り刃の回転面に近接する略同一平面上に配設されていることを特徴とする草刈り機の草寄せ具。
【請求項５】
補強リブが外方に凸曲した面状草寄せガイドに形成され、面状草寄せガイドにて取付部の円弧部と草寄せ後半体とが接続されていることを特徴とする請求項４記載の草刈り機の草寄せ具。
【請求項６】
草寄せ前半体と面状草寄せガイドとの中間に取付部の上部脚片と基材部にわたって棒状リブが形成され、草寄せ前半体、棒状リブ及び面状草寄せガイドによって切断草に対する草寄せガイド部が形成されていることを特徴とする請求項５記載の草刈り機の草寄せ具。
【請求項７】
前草受け部の先端部を草刈り刃の外周の回転軌跡よりも前方に突出させていることを特徴とする請求項１記載の草刈り機の草寄せ具。
【発明の詳細な説明】
【技術分野】
【０００１】
本発明は、草刈り機の草寄せ具に関し、詳しくは、回転する草刈り刃によって切断された草がそのまま放出されないように草寄せ具によって受止め、吊り紐を肩に掛けて草刈り機を左右に振る揺動刈り取り操作に伴って、受止めた草を良好に寄せ集め、特に、従来では集め難かった右方へ寄せ集めることを良好におこなえ、結果として左右のいずれの方向にも草寄せができて、草刈り作業効率を倍増することができるようにする技術に係るものである。
【背景技術】
【０００２】
従来、円板状の草刈り刃を先端に備えた草刈り機にあっては、回転刃の回転によって切断された草は遠心力によって飛散され、草刈り機を吊り紐にて肩に掛けて左右に振り（揺動し）ながら草刈りをおこなう場合に、切断された草を揃えることが難しく、草刈り後に刈り取った草を熊手や箒等で掃き集めるものとなっていた。
【０００３】
ところで、刈り取った草を放置しておくと、ミミズが繁殖し、これを餌とするもぐらが入り込み、傾斜のある畔（畦）などでは雨が降って弱くなると崩壊する被害が生じることがあり、刈り取った草を集めて取り除いておくことが土工的にも必要となるものである。
【０００４】
このような問題を解消するのに当たって、図１２に示す特許文献１のように、草刈り刃１により切断された切断草Ｇを受止め、草刈り機を揺動すのに伴って草寄せする草寄せ具Ｂ’を設けるものがあった。
【０００５】
ところで、特許文献１における上記草寄せ具Ｂ’は、図１２に示すように、一本の金属線材を略逆Ｃ字状に曲げたものを使用するものであったから、左回転する草刈り刃１で切断された切断草Ｇを安定的に受止めることが可能であり、吊り紐を肩に掛けて左方に草刈り機を揺動させる刈り取り操作に伴って、切断された草を左方に良好に寄せ集めることができるのであるが、逆に、草刈り機を右方に揺動させるときに、切断された草は略逆Ｃ字状に湾曲している草寄せ具Ｂ’を滑って切断草Ｇを放出してしまうことになるのであり、このため、草刈り機を右方に揺動させる場合には草刈りをおこなわない戻り動作とするものであった。
【０００６】
このように、図１２に示す草寄せ具Ｂ’を備えた草刈り機においては、右方には草寄せが難しいことから、右方への揺動は草刈りをおこなわない戻り動作として、草刈りに伴って草寄せをおこなう作業効率が低いという問題があった。
【特許文献１】特許第２９３１２８４号公報
【発明の開示】
【発明が解決しようとする課題】
【０００７】
本発明はこのような問題を解消しようとするものであり、回転する草刈り刃によって切断された草がそのまま放出されないように草寄せ具によって受止め、吊り紐を肩に掛けて草刈り機を左右に振る揺動刈り取り操作に伴って、受止めた草を良好に寄せ集め、特に、従来では集め難かった右方へ寄せ集めることを良好におこなえ、結果として左右のいずれの方向にも草寄せができて、草刈り作業効率を倍増することができる草刈り機の草寄せ具を提供することを課題とする。
【課題を解決するための手段】
【０００８】
請求項１に係る発明は、草刈り機Ａの先端の草刈り刃１の上方に取付けられて、回転する草刈り刃１により切断された切断草Ｇを受止めて、草刈り機Ａの左右の揺動に伴って草寄せする草刈り機Ａの草寄せ具Ｂであって、草刈り機Ａの使用状態において円板状の草刈り刃１を平面視で左右に略二分する位置に配置される草寄せ具本体２を備え、草寄せ具本体２の前・後端部に左草受け片３と右草受け片４とが左右に略Ｖ字状に分岐する前・後草受け部５，６が形成されていることを特徴とするものである。
【０００９】
このような構成によれば、円板状の草刈り刃１の上部空間は、草寄せ具本体２にて左右に略二分され、左部分には、草寄せ具本体２の前後方向の中間部分及び左右に略Ｖ字状に分岐する前・後草受け部５，６の左草受け片３，３とによって、左方が開放された略逆Ｃ字状となる左草受け部イが形成され、また、右部分には、草寄せ具本体２の前後方向の中間部分及び左右に略Ｖ字状に分岐する前・後草受け部５，６の右草受け片４，４とによって、右方が開放された略Ｃ字状となる右草受け部ロが形成されるのであり、このように、略Ｃ字状及び略逆Ｃ字状の草受け部イ、ロが左右に形成されることから、草刈り機Ａを左方に揺動させ（振り）ながら刈り取った切断草Ｇを左草受け部イにて受止めて左方に寄せ集めることができ、同様に、右方に振るときにも刈り取った切断草Ｇを右草受け部ロにて受止めて右方に寄せ集めるができるのであり、草刈りと刈った草を集める草寄せ作業を左右同様におこなうことができ、草刈り作業効率を大幅に高めることができる（図６参照）。
【００１０】
請求項２に係る発明は、請求項１記載の草刈り機の草寄せ具において、左草受け片３と右草受け片４に異なる方向に突出する棒状又は粒状の小突起７…が形成されていることを特徴とするものである。
【００１１】
このような構成によれば、請求項１に係る発明の作用に加えて、左草受け片３と右草受け片４に形成した棒状又は粒状の小突起７…によって切断草Ｇを滑らせないで引っ掛けることができ、一層、草寄せ効率を高めることができる。
【００１２】
請求項３に係る発明は、請求項１記載の草刈り機の草寄せ具において、側方が開放された略Ｕ字状で草刈り機Ａの筒状の主軸ケース８の下端部に接続されている伝動ギアケース１３又は主軸ケース８に側方より係合して取付けられる取付部９が形成され、草寄せ具本体２は草寄せ前半体２ａと草寄せ後半体２ｂに分割され、草寄せ前半体２ａが取付部９の上部脚片９ａ又は上部脚片９ａの近傍より前方に延出され、草寄せ後半体２ｂが取付部９の下部脚片９ｂ又は下部脚片９ｂの近傍より後方に延出されていることを特徴とするものである。
【００１３】
このような構成によれば、請求項１に係る発明の作用に加えて、側方が開放された略Ｕ字状の取付部９が主軸ケース８の下端部の伝動ギアケース１３又は主軸ケース８を側方より係合して抱持して、取付部９の上部脚片９ａ又はその近傍より延出されている草寄せ前半体２ａを草刈り刃１の左右中心へと延出でき、また、取付部９の下部脚片９ｂ又はその近傍より延出されている草寄せ後半体２ｂを主軸ケース８や伝動ギアケース１３に邪魔されないで草刈り刃１の左右中心へと延出させることができ、草寄せ前半体２ａ及び草寄せ後半体２ｂを草刈り機Ａの主軸ケース８に遮られないで草刈り刃１の左右中心に配置するという構成を簡素化できる。
【００１４】
請求項４に係る発明は、一体化された成形品製である請求項３記載の草刈り機の草寄せ具であって、草受け前半体２ａの先端部と草受け後半体２ｂの根本部とが基材部１１にて接続され、取付部９の上部脚片９ａと下部脚片９ｂを連ねる円弧部９ｃと基材部１１とが補強リブ１０にて接続され、草寄せ前半体２ａの前草受け部５、基材部１１、草寄せ後半体２ｂ及び後草受け部６が側面視において草刈り刃１の回転面に近接する略同一平面上に配設されていることを特徴とするものである。
【００１５】
このような構成によれば、請求項３に係る発明の作用に加えて、草受け前半体２ａの先端部と草受け後半体２ｂの根本部とが基材部１１にて接続され、上方の取付部９の円弧部９ｃと下方の基材部１１とが補強リブ１０にて接続されることによって、複雑な形状となる草寄せ具Ｂを、例えば、合成樹脂成形品として軽量化しながら強度を高め、寸法安定化を図り、品質を高めることができるのであり、かつ、草寄せ前半体２ａの前草受け部５、基材部１１、草寄せ後半体２ｂ及び後草受け部６が側面視において草刈り刃１の回転面に近接する略同一平面上に配設されていて、こられ各部材が切断草Ｇに対する草寄せ機能を安定的に果たすことができ、安定的な草寄せができる。
【００１６】
ところで、請求項４に係る発明の草刈り機の草寄せ具は、例えば、アルミダイキャスト製でもよく、又、請求項１〜３に係る発明の草刈り機の草寄せ具は、上記成形品の他、金属棒材を曲げ加工し、各部材を溶接して製作したものでもよい。
【００１７】
請求項５に係る発明は、請求項４記載の草刈り機の草寄せ具において、補強リブ１０が外方に凸曲した面状草寄せガイド１２に形成され、面状草寄せガイド１２にて取付部９の円弧部９ｃと草寄せ後半体２ｂとが接続されていることを特徴とする。
【００１８】
このような構成によれば、請求項４に係る発明の作用に加えて、補強リブ１０が外方に凸曲した面状草寄せガイド１２となって、切断草Ｇを、一層、安定的にガイドさせることができ、かつ、円弧部９ｃに広い範囲にわたって接続された面状草寄せガイド１２が草寄せ後半体２ｂに接続されて、草寄せ具Ｂの強度を、一層、高めることができる。
【００１９】
請求項６に係る発明は、請求項５記載の草刈り機の草受け具において、草寄せ前半体２ａと面状草寄せガイド１２との中間に取付部９の上部脚片９ａと基材部１１にわたって棒状リブ１０ａが形成され、草寄せ前半体２ａ、棒状リブ１０ａ及び面状草寄せガイド１２によって切断草Ｇに対する草寄せガイド部が形成されていることを特徴とするものである。
【００２０】
このような構成によれば、請求項５に係る発明の作用に加えて、草寄せ前半体２ａ、面状草寄せガイド１２及び棒状リブ１０ａが総合されて草寄せガイド部となって、円滑なガイドを果たしながら、草寄せ具Ｂのデザインを高めることができる。
【００２１】
請求項７に係る発明は、請求項１の草刈り機の草受け具において、前草受け部５の先端部５ａを草刈り刃１の外周の回転軌跡よりも前方に突出させていることを特徴とするものである。
【００２２】
このような構成によれば、請求項１に係る発明の作用に加えて、石塊やコンクリートブロック壁などの障害物２７の際の草刈り（際刈り）に当たって、草刈り刃１の左右中心にある前草受け部５の先端部５ａが障害物２７に先に当接するから、草刈り刃１が石塊やコンクリートブロック壁のような障害物２７に衝突するのを防ぐことができて草刈り刃１を保護することができ、草刈り刃１を破損させるのを防止することができ、草刈り刃１が石塊やコンクリートブロック壁のような障害物２７に衝突することに起因する事故を未然に防ぐことができ、草刈り作業の安全性を高めることができる。
【発明の効果】
【００２３】
要するに本発明は、草刈り機を左右に振る揺動刈り取り操作に伴って、回転する草刈り刃によって切断された草がそのまま放出されないように草寄せ具によって受止め、受止めた切断草を良好に寄せ集め、特に、従来では難しかった右方へ寄せ集めることを良好におこなえ、結果として左右のいずれの方向にも草寄せができて、草刈り作業効率を倍増させることができる。
【発明を実施するための最良の形態】
【００２４】
以下、本発明の実施の形態を説明する。図１は草寄せ具Ｂの斜視図である。図２は草刈り機Ａに草寄せ具Ｂを取付けた部分斜視図である。図５は草刈り機Ａの全体概略斜視図である。
【００２５】
草刈り機Ａは、筒状の主軸ケース８の内部に回転軸１４を挿通し、回転軸１４の下端部にベベルギヤを備えた回転力伝動部（図示せず）を構成し、回転力伝動部を伝動ギアケース１３にて覆い、伝動ギアケース１３より下方に突出された出力軸に左ねじ締め手段によって草刈り刃１を取替え可能に取付けて草刈り刃１を矢印Ｒ方向（左回転方向）に駆動回転するようにしている。伝動ギアケース１３は主軸ケース８の下端部に接続している。
【００２６】
主軸ケース８の途中にはハンドル１５を設けて上端部にはエンジン１６を搭載して、エンジン１６の駆動にて回転軸１４及び回転力伝動部を介して草刈り刃１を駆動回転させるようにしている。主軸ケース８には安全カバー１７を上下位置変更自在に設けるとともに吊り紐（図示せず）を設けてあり、吊り紐を肩に吊るとともにハンドル１６を持って草刈り機Ａを左右に振り出すようにして草刈りをおこなうようにしている。
草刈り刃１は円板状としたが、小径の円状の基板の外周部に周方向に間隔を隔てて複数本の合成樹脂（例えば、ナイロン）製の帯状体、ワイヤー及びロープ等の紐状体を係着した形態のものであってもよい。又、草刈り機Ａの形態は種々のものがある。
【００２７】
図１に示すように、草寄せ具Ｂは、例えば、合成樹脂成形品で一体化されたものであり、草刈り機Ａの筒状の主軸ケース８の下端部の伝動ギアケース１３に取付けられる取付部９は、例えば、使用状態で右側方が開放された略Ｕ字状に形成されている。取付部９を基部として棒状の草寄せ具本体２を前後に延出していて、草刈り機Ａの使用状態において円板状の草刈り刃１を平面視で左右に略二分する位置に草寄せ具本体２を配置するようにしている。
詳しくは、草寄せ具本体２を草寄せ前半体２ａと草寄せ後半体２ｂに二分している。草寄せ前半体２ａを取付部９の上部脚片９ａより延出している。草寄せ前半体２ａは上部脚片９ａの近傍より延出してもよい。草寄せ前半体２ａの前端部に左草受け片３と右草受け片４とが左右に略Ｖ字状に分岐する前草受け部５を形成している。取付部９の上部脚片９ｂと下部脚片９ｂを連ねる円弧部９ｃの下部脚片９ｂがわより草寄せ後半体２ｂを後方に延出している。草寄せ後半体２ｂの後端部に左草受け片３と右草受け片４とが左右に略Ｖ字状に分岐する後草受け部６を形成している。前・後草受け部５，６の各左草受け片３と右草受け片４に異なる方向に突出する棒状の小突起７を形成している。小突起７は粒状であってもよい。
【００２８】
草受け前半体２ａの先端部と草受け後半体２ｂの根本部とを基材部１１にて接続している。基材部１１は棒状となって、本実施の形態では、平面視で伝動ギアケース１３の左方において半円状に湾曲させている。取付部９の上部脚片９ａと下部脚片９ｂを連ねる円弧部９ｃと基材部１１とを補強リブ１０にて接続している。補強リブ１０は外方に凸曲した面状草寄せガイド１２に形成している。草寄せ前半体２ａの前草受け部５、基材部１１、草寄せ後半体２ｂ及び後草受け部６が側面視において草刈り刃１の回転面に近接する略同一平面上に配設している。
【００２９】
面状草寄せガイド１２にて取付部９の円弧部９ｃと草寄せ後半体２ｂとを接続している。草寄せ前半体２ａと面状草寄せガイド１２との中間に取付部９の上部脚片９ａと基材部１１にわたって棒状リブ１０ａを形成している。草寄せ前半体２ａ、棒状リブ１０ａ及び面状草寄せガイド１２を総合することによって切断草Ｇに対する草寄せガイド部を形成している
取付部９の上部脚片９ａ、下部脚片９ｂに雄ねじ１９を形成している。略Ｕ字状の取付部９を草刈り機Ａの伝動ギアケース１３に係合し、締付けプレート２０の孔を取付部９の上下部脚片９ａ、９ｂに挿通し、ナット２１を螺合することで、草寄せ具本体２、つまり、草寄せ前半体２ａ及び草寄せ後半体２ｂを草刈り刃１の上方で、草刈り刃１の上部空間を平面視で左右に略二分する位置に配設するようにしている。
【００３０】
このようにして、草刈り機Ａの使用状態において、円板状の草刈り刃１の上部空間は、草寄せ具本体２にて左右に略二分されるのであり、左部分には、草寄せ具本体２の前後中間部及び左右に略Ｖ字状に分岐する前・後草受け部５，６の左草受け片３，３とによって、左方が開放された略逆Ｃ字状となる左草受け部イが形成されるのである。また、右部分には、草寄せ具本体２の前後中間部及び左右に略Ｖ字状に分岐する前・後草受け部５，６の右草受け片４，４とによって、右方が開放された略Ｃ字状となる右草受け部ロが形成されるのである。
【００３１】
このように、略Ｃ字状及び略逆Ｃ字状の草受け部イ、ロが左右に形成されることから、草刈り機Ａを左方に振りながら刈り取った切断草Ｇを左草受け部イにて受止めて左方に安定的に草寄せができ、同様に、右方に振るときも刈り取った切断草Ｇを右草受け部ロにて受止めて右方に安定的に草寄せができるのであり、草刈りと刈った草を集める草寄せ作業を左右方向を同様におこなうことができ、草刈り作業効率を大幅に高めることができる。
【００３２】
上記左草受け片３，３と右草受け片４，４には異なる方向に棒状又は粒状の小突起７…が突出していて、これらの小突起７…によって切断草Ｇを滑らせないで引っ掛けることができ、草寄せ効率を高めることができる。
【００３３】
この場合、側方が開放された略Ｕ字状の取付部９が主軸ケース８の下端部の伝動ギアケース１３に側方より係合して抱持して、取付部９の上部より延出されている草寄せ前半体２ａを草刈り刃１の左右中心へと延出させることができ、また、取付部９の下部より延出されている草寄せ後半体２ｂを主軸ケース８や伝動ギアケース１３に遮られないで草刈り刃１の左右中心へと延出することができるのであり、草寄せ前半体２ａ及び草寄せ後半体２ｂを草刈り刃１の左右中心に配置する構成を簡素化できる。
【００３４】
しかも、側方が開放された略Ｕ字状の取付部９、取付部９の上部脚片９ａより前方に延出された草寄せ前半体２ａ、取付部９の円弧部９ｃより後方に延出された草寄せ後半体２ｂ、左右草受け片３，４、草受け前半体２ａの先端部と草受け後半体２ｂの根本部とを接続している基材部１１、面状草寄せガイド１２及び棒状リブ１０ａが合成樹脂にて一体化されて成形されているのであり、複雑な形状となる草寄せ具Ｂを軽量化し、寸法安定化を図り、品質を高めることができる。又、草寄せ前半体２ａの前草受け部５、基材部１１、草寄せ後半体２ｂ及び後草受け部６が側面視において草刈り刃１の回転面に近接する略同一平面上に配設されていて、これら各部材が切断草Ｇに対する草寄せ機能を安定的に果たすことができ、安定的な草寄せができる。
【００３５】
更に、補強リブ１０が外方に凸曲した面状草寄せガイド１２となっていて、切断草Ｇを、一層、安定的にガイドさせることができ、かつ、円弧部９ｃに広い範囲にわたって連結された面状草寄せガイド１２が草寄せ後半体２ｂに連続していて、草寄せ具Ｂの強度を、一層、高めることができる。面状草寄せガイド１２は網目状にしてもよい。
【００３６】
ところで、草寄せ前半体２ａと面状草寄せガイド１２との中間に上方の取付部９の上部脚片９ａと下方の基材部１１にわたって棒状リブ１０ａを形成してあり、草寄せ前半体２ａ、面状草寄せガイド１２及び棒状リブ１０ａが総合されて草寄せガイド部となって、円滑なガイドを果たしながら、草寄せ具Ｂのデザインを高めている。
【００３７】
図７乃至図１１は各々他の実施の形態を示し、但し、これら各実施の形態の基本構成は上記実施の形態と共通であり、共通する部分には同一の符号を付して説明は省略する。
【００３８】
図７の実施の形態においては、草寄せ前半体２ａ、基材部１１、補助リブ１０、円弧部９ｃ、草寄せ後半体２ｂにわたって外方に突曲する連続面状ガイド２２を一連に成形したものであり、このような連続面状ガイド２２によって切断草Ｇを安定的に草寄せするとともに、強度を高めることができる。連続面状ガイド２２を網目状にしてもよい。
【００３９】
図８の実施の形態においては、使用状態の平面視において右側に半円状の右基材部２３を形成して、左側の基材部１１、補強リブ１０（面状草寄せガイド１２）の下縁部とで環状部２４を形成して強度を高め、かつ、右基材部２３、上部脚片９ａ、草寄せ前半体２ａにわたって右面状ガイド２５を形成してあって、草刈り機Ａを右方向に揺動させて草刈りをおこなう場合に、切断草Ｇの長い草も短い草も、より一層、安定的に草寄せするようにしたものである。
【００４０】
図９の実施の形態においては、略Ｕ字状の取付部９を使用状態の平面視において左側を開放し、取付部９を草刈り機Ａの伝動ギアケース１３に右側から取付けるようにし、この場合、連続部１１及び補強リブ１０（面状草寄せガイド１２）を右側に形成して、草刈り機Ａを右方向に揺動させて草刈りをおこなう場合に、右方向への草寄せを、一層、安定的におこなえるようにしたものである。又、草寄せ前半体２ａは左右の中心線よりやや右側に変位させて右方向への草寄せを安定化させるようにしている。
【００４１】
図１０（ａ）の実施の形態においては、略Ｖ字状となる前草受け部５の左右草受け片３，４の間の空所を同一成形材料の合成樹脂材で埋めて前草受け部５の強度を高めるとともに、前草受け部５の先端部５ａを草刈り刃１の回転軌跡よりも前方に突出させたものである。
【００４２】
本実施の形態においては、石塊やコンクリートブロック壁などの障害物２７の近くの際刈りに当たって、草刈り刃１の左右中心にある前草受け部５の先端部５ａが障害物２７に先に当接するのであり、草刈り刃１が石塊、電柱及びコンクリートブロック壁などの障害物２７に衝突して破損されるのを防止することができ、併せて、草刈り刃１が石塊、電柱及びコンクリートブロック壁のような障害物２７に衝突することに起因する事故を未然に防ぐことができ、草刈り作業の安全性を高めることができる。
【００４３】
ところで、前草受け部５の先端部５ａを草刈り刃１の回転軌跡の前方に突出させる手段は、本実施の形態においては、左右草受け片３，４の間の空所を同一成形樹脂材で埋めて前草受け部５を前方に延出させるようにしたが、図１０（ｂ）に示すように、草刈り刃１の回転軌跡の内側に存在させた前草受け部５に、例えば、半割としたキャップ半体２６ａ、２６ｂを着脱自在に被せて半体同士を合わせて帯材２８にて締結し、このように合わせ形としたキャップ状体２６の先端部５ａを草刈り刃１の回転軌跡より前方に突出するようにしてもよく、又、合わせ形のキャップ状体２６を前草受け部５を貫通するボルトにて固定するようにしてもよい。又、キャップ状体２６は合わせ形でなくてもよい。又、キャップ状体２６を前草受け部５に着脱自在に取付けるのに当たって、或いは、固定するのに当たって、前草受け部５に形成された小突起７を利用するようにするとよい。この場合、キャップ状体２６に孔や切欠を形成して小突起７を逃すようにしている。又、キャップ状体２６の形状は三角形、四角形、他の多角形など種々の形態がある。又、キャップ状体２６の材質は金属板材であっても、合成樹脂製でもよい。又、前草受け部５の左右草受け片３，４の間の空所を同一成形材料の合成樹脂材で埋めて先端部５ａを形成するのに当たって、金属材を先端部５ａを構成する先端部材としてインサート成形しておいてもよい。
【００４４】
要するに、請求項７の本実施の形態においては、請求項７のに係る発明の精神を逸脱しない範囲内で種々設計変更可能である。
【００４５】
図１１の実施の形態においては、草寄せ前半体２ａ及び草寄せ後半体２ｂの左右草受け片３，４の先端部を略Ｌ字状に曲げて草寄せ機能を高めるようにしたものである。更に、本実施の形態においては、草寄せ具Ｂを金属棒材を曲げ加工し、各部材を溶接して構成している。
【図面の簡単な説明】
【００４６】
【図１】本発明の実施の一形態の斜視図である。
【図２】同上の草寄せ具を草刈り機に取付けた部分斜視図である。
【図３】同上の部分斜視図である。
【図４】同上の部分側面図である。
【図５】同上の全体概略斜視図である。
【図６】同上の草寄せ作業後の説明図である。
【図７】同上の他の実施の形態の斜視図である。
【図８】同上の他の実施の形態の斜視図である。
【図９】同上の他の実施の形態の斜視図である。
【図１０】同上の他の実施の形態を示し、（ａ）は説明図、（ｂ）はキャップ状体の斜視図である。
【図１１】同上の他の実施の形態の斜視図である。
【図１２】従来例の概略平面図である。
【符号の説明】
【００４７】
１    草刈り刃
２    草寄せ具本体
２ａ  草寄せ前半体
２ｂ  草寄せ後半体
３    左草受け片
４    右草掛け片
５    前草受け部
６    後草受け部
７    小突起
８    主軸ケース
９    取付部
９ａ  上部脚片
９ｂ  下部脚片
９ｃ  円弧部
１０  補強リブ
１１  基材部
１２  面状草寄せガイド
１３  伝動ギアケース
２２  断続草受けガイド
Ａ    草刈り機
Ｂ    草寄せ具
Ｇ    切断草
【図１】
2007135442.tif 000003
【図２】
2007135442.tif 000004
【図３】
2007135442.tif 000005
【図４】
2007135442.tif 000006
【図５】
2007135442.tif 000007
【図６】
2007135442.tif 000008
【図７】
2007135442.tif 000009
【図８】
2007135442.tif 000010
【図９】
2007135442.tif 000011
【図１０】
2007135442.tif 000012
【図１１】
2007135442.tif 000013
【図１２】
2007135442.tif 000014